(57)【特許請求の範囲】
【請求項１】
上面を形成する透水性の多孔質層部と、下面を形成するプラスチック製の不透水性膜層部と、前記多孔質層部の下面に接して位置する吸水性の紙層部と、前記紙層部と不透水性膜層部の間に設けられ、プラスチック廃材粉、紙廃材粉及び吸水性樹脂粉を含む吸水性層部を備える衛生用品において、前記吸水性層部の紙廃材粉の少なくとも一部が、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材の粉砕物、紙ナプキン廃材粉砕物若しくはプラスチックが被着されている紙廃材粉砕物又はこれら廃材粉砕物の二種以上の廃材粉砕混合物の分級処理産物の中、分級処理前の廃材粉砕物又は廃材粉砕混合物に比して、紙材料の含有率が大きい分級処理産物であり、前記吸水性層部のプラスチック廃材粉の少なくとも一部が、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材の粉砕物若しくはプラスチックが被着されている紙廃材粉砕物又はこれら廃材粉砕物の二種以上の廃材粉砕混合物の分級処理産物の中、分級処理前の廃材粉砕物又は廃材粉砕混合物に比して、プラスチック材料の含有率が大きい分級処理産物であることを特徴とする衛生用品。
【請求項２】
上面を形成する透水性の多孔質層部と、下面を形成するプラスチック製の不透水性膜層部と、前記多孔質層部の下面に接して位置する吸水性の上部紙層部と、前記不透水性膜層部の上面に接して配置される吸水性の下部紙層部と、前記上部紙層部及び下部紙層部の間に設けられ、プラスチック廃材粉、紙廃材粉及び吸水性樹脂粉を含む吸水性層部とを備える衛生用品において、前記吸水性層部の紙廃材粉の少なくとも一部が、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材の粉砕物若しくはプラスチックが被着されている紙廃材粉砕物又はこれら廃材粉砕物の二種以上の廃材粉砕混合物の分級処理産物の中、分級処理前の廃材粉砕物又は廃材粉砕混合物に比して、紙材料の含有率が大きい分級処理産物であり、前記吸水性層部のプラスチック廃材粉の少なくとも一部が、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材の粉砕物若しくはプラスチックが被着されている紙廃材粉砕物又はこれら廃材粉砕物の二種以上の廃材粉砕混合物の分級処理産物の中、分級処理前の廃材粉砕物又は廃材粉砕混合物に比して、プラスチック材料の含有率が大きい分級処理産物であることを特徴とする衛生用品。
【請求項３】
上面を形成する透水性の多孔質層部と、下面を形成するプラスチック製の不透水性膜層部と、前記多孔質層部の下面に接して位置する吸水性の上部紙層部と、前記不透水性膜層部の上面に接して配置される吸水性の下部紙層部と、前記上部紙層部と下部紙層部の間に、中間吸水性紙層部により上層部及び下層部に仕切られて形成されているプラスチック廃材粉、紙廃材粉及び吸水性樹脂粉を含む吸水性層部とを備えている衛生用品において、前記吸水性層部の紙廃材粉の少なくとも一部が、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材の粉砕物若しくはプラスチックが被着されている紙廃材粉砕物又はこれら廃材粉砕物の二種以上の廃材粉砕混合物の分級処理産物の中、分級処理前の廃材粉砕物又は廃材粉砕混合物に比して、紙材料の含有率が大きい分級処理産物であり、前記吸水性層部のプラスチック廃材粉の少なくとも一部が、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材の粉砕物若しくはプラスチックが被着されている紙廃材粉砕物又はこれら廃材粉砕物の二種以上の廃材粉砕混合物の分級処理産物の中、分級処理前の廃材粉砕物又は廃材粉砕混合物に比して、プラスチック材料の含有率が大きい分級処理産物であることを特徴とする衛生用品。
【発明の詳細な説明】
【０００１】
【産業上の利用分野】
本発明は、衛生用品、即ち、人又は動物用の衛生用品に関し、特に、ラミネート紙廃材、プラスチック製有機物廃材、紙廃材、例えば、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材粉砕物、紙ナプキン若しくはプラスチックが被着されている紙の廃材粉砕物等の廃材を利用した衛生用品、即ち、人用のおむつ、生理用ナプキン、尿パッド又は動物用おむつ若しくは動物用シーツ等の人又は動物用の衛生用品に関する。
また、本発明は、特に、就寝時、休養時及び排泄時に使用する使い捨て用の人用の紙おむつ、生理用紙ナプキン若しくは尿パッド又は愛玩動物用のおむつ若しくは動物用シーツ等の衛生用品に関する。
【０００２】
【従来の技術】
従来の使い捨て用の例えば人用のおむつや動物用シーツ等の人又は動物用の衛生用品は、上面を形成する透水性の多孔質層部と、下面を形成するプラスチック製の不透水性膜層部とを備え、前記透水性の多孔質層部の下面に接して配置される吸水性の上部紙層部と、前記不透水性膜層部の上面に接して配置される吸水性の下部紙層部を備え、前記吸水性の上部紙層部と、前記吸水性の下部紙層部との間に、高吸水性樹脂及びフラツフ等の紙粉を含む吸水性層部を備えて形成されている。
【０００３】
【発明が解決しようとする課題】
このように、従来の使い捨て用の紙おむつ、生理用パッド、尿パッド又は動物用シーツ等の衛生用品の吸水性層部には、高吸水性樹脂と共に紙粉が使用されている。この従来の衛生用品においては、吸水性層部に使用される紙粉として、パルプ粉砕物が使用されているが、最近では、パルプ粉砕物が入手困難であり、しかも比較的高価であり、バルプ粉砕物の使用が困難となり、問題とされている。そこで、最近の使い捨て用の衛生用品は、吸水性層部のパルプ粉砕物の使用量を減少させ、そのパルプ粉砕物の減少に伴う吸水量の減少を補うように、吸水性樹脂を増加させて、吸水性層部を形成している。しかし、このように、パルプ粉砕物を減少させ、吸水性樹脂を増加させた吸水性層部を有する使い捨て用の衛生用品は、パルプ粉砕物の使用量を少なくするために、従来の衛生用品に比して、比較的薄く形成され、弾力性に乏しくなり、比較的堅い感じを与えるために、問題とされている。
【０００４】
一方、ラミネート紙は、牛乳パック、紙製の皿、紙製の茶碗、紙コップ等の食器類に使用されるが、成形するためのラミネート紙の裁断の際には、ラミネート紙の裁断屑が大量に発生するが、プラスチックフィルムを原料に使用しているために、燃焼熱が高く、その処理が問題とされている。
また紙おむつ、生理用ナプキン、尿パッド、動物用紙おむつ及び動物用シーツ等の衛生用品の製造時においても検査不良の紙おむつ等の衛生用品の廃品が大量に発生し、またその裁断工程においても、例えば、紙おむつ裁断屑や生理用ナプキン裁断屑等の衛生用品の裁断屑が発生し、その処理が問題とされている。
本発明は、従来の紙おむつ、生理用ナプキン、尿パッド、や動物用シーツの原材料及び弾力性に係る問題点並びに、事務用紙廃材、ラミネート紙廃材、生理用ナプキン廃材、失禁パッド廃材、尿パッド廃材及び紙オムツ廃材等の衛生用品廃材の処分の問題点を一挙に解決することを目的としている。
【０００５】
【課題を解決するための手段】
本発明は、人用の紙おむつや又は動物用シーツの原材料として、ラミネート紙廃材、紙おむつ廃材、生理用ナプキン廃材、尿パッド廃材等のプラスチックフィルム及び紙料を含有する廃材材料を使用して、比較的弾力性及び吸水性を有する衛生用品、即ち、人用の紙おむつ、生理用ナプキン若しくは尿パッド又は動物用おむつ又は動物用シーツ等を提供することを目的としている。
【０００６】
即ち、本発明は、上面を形成する透水性の多孔質層部と、下面を形成するプラスチック製の不透水性膜層部と、前記多孔質層部の下面に接して位置する吸水性の紙層部と、前記紙層部と不透水性膜層部の間に設けられ、プラスチック廃材粉、紙廃材粉及び吸水性樹脂粉を含む吸水性層部を備える衛生用品において、前記吸水性層部の紙廃材粉の少なくとも一部が、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材の粉砕物、紙ナプキン廃材粉砕物若しくはプラスチックが被着されている紙廃材粉砕物又はこれら廃材粉砕物の二種以上の廃材粉砕混合物の分級処理産物の中、分級処理前の廃材粉砕物又は廃材粉砕混合物に比して、紙材料の含有率が大きい分級処理産物であり、前記吸水性層部のプラスチック廃材粉の少なくとも一部が、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材の粉砕物若しくはプラスチックが被着されている紙廃材粉砕物又はこれら廃材粉砕物の二種以上の廃材粉砕混合物の分級処理産物の中、分級処理前の廃材粉砕物又は廃材粉砕混合物に比して、プラスチック材料の含有率が大きい分級処理産物であることを特徴とする衛生用品にあり、また、本発明は、上面を形成する透水性の多孔質層部と、下面を形成するプラスチック製の不透水性膜層部と、前記多孔質層部の下面に接して位置する吸水性の上部紙層部と、前記不透水性膜層部の上面に接して配置される吸水性の下部紙層部と、前記上部紙層部及び下部紙層部の間に設けられ、プラスチック廃材粉、紙廃材粉及び吸水性樹脂粉を含む吸水性層部とを備える衛生用品において、前記吸水性層部の紙廃材粉の少なくとも一部が、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材の粉砕物若しくはプラスチックが被着されている紙廃材粉砕物又はこれら廃材粉砕物の二種以上の廃材粉砕混合物の分級処理産物の中、分級処理前の廃材粉砕物又は廃材粉砕混合物に比して、紙材料の含有率が大きい分級処理産物であり、前記吸水性層部のプラスチック廃材粉の少なくとも一部が、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材の粉砕物若しくはプラスチックが被着されている紙廃材粉砕物又はこれら廃材粉砕物の二種以上の廃材粉砕混合物の分級処理産物の中、分級処理前の廃材粉砕物又は廃材粉砕混合物に比して、プラスチック材料の含有率が大きい分級処理産物であることを特徴とする衛生用品にあり、更に、本発明は、上面を形成する透水性の多孔質層部と、下面を形成するプラスチック製の不透水性膜層部と、前記多孔質層部の下面に接して位置する吸水性の上部紙層部と、前記不透水性膜層部の上面に接して配置される吸水性の下部紙層部と、前記上部紙層部と下部紙層部の間に、中間吸水性紙層部により上層部及び下層部に仕切られて形成されているプラスチック廃材粉、紙廃材粉及び吸水性樹脂粉を含む吸水性層部とを備えている衛生用品において、前記吸水性層部の紙廃材粉の少なくとも一部が、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材の粉砕物若しくはプラスチックが被着されている紙廃材粉砕物又はこれら廃材粉砕物の二種以上の廃材粉砕混合物の分級処理産物の中、分級処理前の廃材粉砕物又は廃材粉砕混合物に比して、紙材料の含有率が大きい分級処理産物であり、前記吸水性層部のプラスチック廃材粉の少なくとも一部が、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材の粉砕物若しくはプラスチックが被着されている紙廃材粉砕物又はこれら廃材粉砕物の二種以上の廃材粉砕混合物の分級処理産物の中、分級処理前の廃材粉砕物又は廃材粉砕混合物に比して、プラスチック材料の含有率が大きい分級処理産物であることを特徴とする衛生用品にある。
【０００７】
【発明の実施の形態】
本発明において、衛生用品は、紙おむつ、尿パッド、生理用ナプキン、動物用紙おむつ及び動物用シーツを意味する。本発明の衛生用品は、従来の紙おむつや動物用のシーツ等の衛生用品と同様に、排泄用として使用されるものであるが、その他に、休養及び就寝用として使用されるものである。
本発明において、衛生用品は、その上面は、透水性の多孔質層部、例えばポリプロピレン樹脂、ポリエチレン樹脂、ナイロン樹脂、ビニロン樹脂等のプラスチック繊維製又はレーヨン繊維製の不織布層部又はポリエチレン樹脂、ポリプロピレン樹脂、塩化ビニル樹脂等のプラスチック製の多孔膜で形成することができ、下面は、ポリエチレン樹脂、ポリプロピレン樹脂等のプラスチック製の不透水性膜層部で形成することができる。
【０００８】
本発明において、吸水性の紙層部は、一方のものを、前記多孔質層部の下面に接して上部紙層部として設け、さらに他方のものを、前記不透水性膜層部の上面に接して下部紙層部として設けることができる。このように、吸水性紙層部を上下に設けると、上部紙層部と下部紙層部の間に吸水性層部が挟まれるように設けることができるので、上部紙層部と下部紙層部の間に吸水性層部を挟んで、エンボス処理等の処理ができるので、上部紙層部と下部紙層部の間に、吸水性層部を固定できるので好ましい。しかし、本発明においては、前記多孔質層部の下のみに、その下面に接して吸水性の紙層部を設けることができる。また、吸水性層部は、中間吸水性紙層部で仕切って、上部吸水性層部及び下部吸水性層部に二分して形成することができる。
何れの場合においても、この吸水性の紙層部は、吸水紙又はクレープ紙で形成されるのが、良好な吸水性を確保できるので好ましい。
本発明において使用される廃材の粉砕物の紙おむつ廃材の粉砕物、尿パッド廃材の粉砕物、生理用ナプキン廃材の粉砕物、動物用紙おむつ廃材の粉砕物、動物用シーツ廃材の粉砕物、ラミネート紙廃材粉砕物及びプラスチックが被着されている紙の裁断屑等の廃材の粉砕物は、粉砕等により、５ｍｍ以下の粒度、好ましくは３ｍｍ以下の粒度に形成するのが好ましい。
【０００９】
本発明においては、前記吸水性の紙層部間に、又は前記吸水性の紙層部に接して、プラスチック廃材粉、紙廃材粉及び吸水性樹脂の混合物を含む吸水性層部を設けることができる。この吸水性層部に使用されるプラスチック廃材粉としては、ポリエチレンフィルム廃材粉砕物、ポリプロピレンフィルム廃材粉砕物、ゴム材料廃材粉砕物等があり、紙廃材粉としては、パンチ屑及び／又は帳簿用紙の裁断屑等の屑紙の粉砕物が紙廃材粉として使用できるが、紙おむつ廃材破砕物、生理用ナプキン廃材粉砕物、尿パッド廃材粉砕物、動物用紙おむつ廃材粉砕物、動物用シーツ廃材粉砕物又は紙ナプキン廃材破砕物、或いはこれらの廃材粉砕物の二以上の廃材粉砕混合物も同様に使用することができ、また前記廃材粉砕物又は前記廃材粉砕混合物を分級して得られる分級産物の中、分級処理前の廃材粉砕物又は廃材粉砕混合物に比して紙材料の含有率が大きい分級処理産物も同様に使用することができる。
【００１０】
本発明において、吸水性層部は、プラスチック廃材粉、紙廃材粉及び吸水性樹脂粉で形成される。本発明において、前記プラスチック廃材粉、紙廃材粉及び吸水性樹脂粉を含む吸水性層部の少なくとも一部には、紙おむつ廃材の粉砕物、尿パッド廃材の粉砕物、生理用ナプキン廃材の粉砕物、動物用紙おむつ廃材の粉砕物又は動物用シーツ廃材の粉砕物或いはこれら廃材の粉砕物の中の二種類以上の廃材の粉砕混合物を使用することができる。
本発明において使用されるプラスチック材料を含む廃材の粉砕物の紙おむつ廃材の粉砕物、尿パッド廃材の粉砕物、生理用ナプキン廃材の粉砕物、動物用紙おむつ廃材の粉砕物、動物用シーツ廃材の粉砕物、ラミネート紙廃材粉砕物、及びプラスチック又はゴムが被着されている紙の裁断屑等の廃材の粉砕物は、粉砕等により、５ｍｍ以下の粒度、好ましくは３ｍｍ以下の粒度に形成すると、プラスチック材料の保水性が向上する上に、プラスチック材料及びゴム材料の存在が略感知されないようになり、感触も向上するので好ましい。
【００１１】
本発明において、吸水性層部のプラスチック廃材粉砕物の少なくとも一部には、紙おむつ廃材の粉砕物、尿パッド廃材の粉砕物、生理用ナプキン廃材の粉砕物、動物用紙おむつ廃材の粉砕物、動物用シーツ廃材の粉砕物、ラミネート紙廃材粉砕物若しくはプラスチックが被着されている紙の裁断屑等の廃材の粉砕物又はこれら廃材の粉砕物の二種類以上の廃材の粉砕混合物、或いは前記廃材の粉砕物又は廃材の粉砕混合物の分級処理産物の中、分級処理前の前記廃材の粉砕物又は廃材粉砕混合物に比してプラスチック材料の含有率が大きい分級処理産物を使用することができる。
【００１２】
本発明において、プラスチック廃材粉、紙廃材粉及び吸水性樹脂廃材粉を含む吸水性層部における紙廃材粉及び吸水性樹脂廃材粉の少なくとも一部には、紙おむつ廃材粉砕物、尿パッド廃材粉砕物、生理用ナプキン廃材粉砕物、動物用紙おむつ廃材粉砕物若しくは動物用シーツ廃材粉砕物又はこれら廃材粉砕物の二種類以上の廃材粉砕混合物、或いは前記廃材粉砕物又は廃材粉砕混合物の分級処理産物の中、分級処理前の廃材粉砕物に比して紙材料及び吸水性樹脂の含有率が大きい分級処理産物を使用することができる。
【００１３】
本発明において、プラスチック廃材粉、紙廃材粉及び吸水性樹脂粉を含む吸水性層部の紙廃材粉の少なくとも一部には、紙おむつ廃材粉砕物、尿パッド廃材粉砕物、生理用ナプキン廃材粉砕物、動物用紙おむつ廃材粉砕物、動物用シーツ廃材粉砕物、ラミネート紙廃材粉砕物、紙ナプキン廃材粉砕物若しくはプラスチックが被着されている紙廃材粉砕物又はこれら廃材粉砕物の二種類以上の廃材粉砕混合物、或いは前記廃材粉砕物又は廃材粉砕混合物の分級処理産物の中、分級処理前の廃材粉砕物又は廃材粉砕混合物に比して、紙材料の含有率が大きい分級処理産物を使用することができる。
【００１４】
本発明において、プラスチック廃材粉、紙廃材粉及び吸水性樹脂粉を含む吸水性層部の吸水性樹脂粉の少なくとも一部には、紙おむつ廃材粉砕物、尿パッド廃材粉砕物、若しくは生理用ナプキン廃材粉砕物、又はこれら廃材粉砕物の二種類以上の廃材粉砕混合物、或いは前記廃材粉砕物又は廃材粉砕混合物の分級処理産物の中、分級処理前の廃材粉砕物又は廃材粉砕混合物に比して吸水性樹脂粉の含有率が大きい分級処理産物を使用することができる。
【００１５】
本発明おいて、前記吸水性樹脂粉として、吸水性樹脂及び高吸水性樹脂を使用することができる。また吸水性樹脂として、疎水性繊維に吸水性を付与した、所謂、吸水性繊維を使用することができる。この場合、吸水性繊維は、そのまま成形して、又は吸水性繊維成形体又は吸水性繊維成形体粉砕物として使用することができる。
吸水性繊維を使用する場合は、吸水性繊維は、吸水性樹脂に代えて使用することができるが、上部紙層部及び下部紙層部間に吸水性繊維成形体及び／又は吸水性繊維成形体粉砕物を配置して吸水性層部を形成することができる。吸水性繊維成形体は、布帛又は不織布に形成して、上部紙層部及び下部紙層部間に配置又は固定して形成することができる。
【００１６】
本発明において、前記吸水性樹脂粉の少なくとも一部には、吸水性樹脂（高吸水性樹脂を含む）、吸水性繊維（高吸水性繊維を含む）、吸水性繊維成形体又は吸水性繊維成形体粉砕物、或いは これらの二種類以上の吸水性材料混合物と、紙おむつ廃材粉砕物、尿パッド廃材粉砕物、若しくは生理用ナプキン廃材粉砕物、又はこれら廃材粉砕物の二種類以上の廃材粉砕混合物、或いは前記廃材粉砕物又は廃材粉砕混合物の分級処理産物の中、分級処理前の廃材粉砕物又は廃材粉砕混合物に比して吸水性樹脂粉の含有率が大きい分級処理産物との混合物を使用することができる。
【００１７】
本発明において、前記吸水性樹脂粉の少なくとも一部が、紙おむつ廃材粉砕物、尿パッド廃材粉砕物、生理用ナプキン廃材粉砕物、動物用紙おむつ廃材粉砕物若しくは動物用シーツ廃材粉砕物又はこれら廃材粉砕物の二種類以上の廃材粉砕混合物、或いは前記廃材粉砕物又は廃材粉砕混合物の分級処理産物の中、分級処理前の廃材粉砕物又は廃材粉砕混合物に比して吸水性樹脂粉の含有率が大きい分級処理産物である場合、吸水性樹脂又は吸水性繊維は、粉砕物プラスチック廃材粉及び／又は紙廃材粉とは別個に紙層部上に供給するのが、吸水性樹脂の吸水によりホッパー等の供給口が詰まるのを防止することができるので好ましい。
【００１８】
本発明において、前記吸水性樹脂粉として、紙おむつ廃材粉砕物、尿パッド廃材粉砕物、生理用ナプキン廃材粉砕物、動物用紙おむつ廃材粉砕物、動物用シーツ廃材粉砕物若しくはラミネート紙廃材粉砕物又はこれら廃材粉砕物の二種類以上の廃材粉砕混合物、或いは前記廃材粉砕物又は廃材粉砕混合物の分級処理産物の中、分級処理前の廃材粉砕物又は廃材粉砕混合物に比して吸水性樹脂粉の含有率が大きい分級処理産物を使用する場合には、プラスチック廃材粉砕物及び紙廃材粉砕物としては、ラミネート紙廃材の粉砕物、紙おむつ廃材粉砕物、尿パッド廃材粉砕物、生理用ナプキン廃材粉砕物、動物用紙おむつ廃材粉砕物若しくは動物用シーツ廃材粉砕物又はこれら二以上の廃材粉砕混合物、或いは前記廃材粉砕物又は廃材粉砕混合物の分級処理産物の中、分級処理前の廃材粉砕物又は廃材粉砕混合物に比してプラスチック材料及び紙材料の含有率が大きい分級処理産物を使用することができる。
【００１９】
本発明において、プラスチック廃材及び紙廃材の粉砕粉の混合物としては、牛乳パック、紙製の皿、紙製の茶碗、紙コップ等の食器類などのラミネート紙製品や紙ナプキン等の製造時の裁断屑を粉砕した粉砕粉が使用でき、また、プラスチック材料及び紙材料を含む紙おむつ廃材粉砕物、尿パッド廃材粉砕物、生理用ナプキン廃材粉砕物、動物用紙おむつ廃材粉砕物若しくは動物用シーツ粉砕物或いはこれらの粉砕混合物を使用することができ、或いはこれら粉砕物又は粉砕混合物の分級処理産物の中、分級処理前の廃材粉砕物又は廃材粉砕混合物に比してプラスチック材料及び紙材料の含有率が大きい分級処理産物を使用することができる。紙おむつ廃材、尿パッド廃材、又は生理用ナプキン廃材は、プラスチック材料、紙材料及び吸水性樹脂を含んでいるので、プラスチック廃材、紙廃材及び吸水性樹脂廃材を含む粉砕混合物として、紙おむつ粉砕物及び生理用ナプキン粉砕物の製造時に発生する紙粉、所謂集塵ロスが使用できる。
【００２０】
本発明において、紙廃材粉及び吸水性樹脂粉の混合物は、プラスチック廃材粉層の間に挟持され、その表裏両面に吸水紙が設けられている所謂ポリマーシートの裁断屑等のポリマーシート廃材粉砕粉を使用することができる。ポリマーシート廃材を使用する場合には、多孔質層部の下面に接する吸水性の紙層部及び不透水性膜層部上面に接する吸水性の紙層部を省略することができる。本発明において、吸水性樹脂廃材に含まれる高吸水性樹脂又は吸水性樹脂は、吸水性の高いものを使用すると、使用量を少なくできるので好ましい。
【００２１】
本発明において吸水性樹脂は、高吸水性樹脂及び高級水性樹脂に比して吸水能力が低い吸水性樹脂を意味する。本発明において、同様に、吸水性繊維は、高吸水性繊維及び高級水性繊維に比して吸水能力が低い吸水性樹脂を意味する。
本発明において、高吸水性樹脂は、紙おむつには、２５乃至４０重量％、好ましくは、３０乃至３５重量％含有され、特に３３重量％含有されるが、動物用シーツには５乃至１５重量％、好ましくは、７乃至１２重量％含有され、特に１０重量％含有されるので、例えば、紙おむつ廃材粉砕物を使用して、動物用シーツを製造するときは、高吸水性樹脂の量が多すぎることとなるので、高吸水性樹脂は、紙おむつ廃材粉砕物から分級等の分離手段により少なくとも一部分離され、一部製品化されるが、逆に、動物用シーツ廃材粉砕物を原料として紙おむつを製造する場合には、高吸水性樹脂の量が不足することとなるので、この不足する高吸水性樹脂の量を外部から添加することが必要となる。
【００２２】
本発明において、動物用シーツに吸水性を保持させるために、高吸水性樹脂が配合される。本発明において使用される高吸水性樹脂は、人工尿で自重の３０倍から１００倍程度の水を吸収しても、形を保持できる樹脂であるのが好ましい。このような高吸水性樹脂としては、例えば、ビニルエステルとエチレン系不飽和カルボン酸又はその誘導体との共重合体鹸化物、澱粉とアクリル酸のグラフト重合体、ポリアクリル酸の架橋物、ビニルアルコールとアクリル酸の共重合体、ポリアクリロニトリルの部分加水分解物、カルボキシメチルセルロースの架橋物、ポリエチレングリコールの架橋物、キトサンの塩又はプルランのゲルなどがある。これらは、吸水性材料粉に単独で又はこれら２種以上を混合して使用される。
【００２３】
本発明においては、高吸水性樹脂は、例えば紙おむつ廃材から回収された高吸水性樹脂含有物を使用することができる。このような再生高吸水性樹脂は、人工尿で吸水倍率が１０〜３０ｇ／ｇとその吸水性能は乏しいが、動物用シーツではこの程度の吸水効果で十分使用できることがわかった。使用する高吸水性樹脂の粒度は、５０乃至５００μｍであり
【００２４】
廃材の紙粉に、木粉及びパンチ屑の粉砕物を加える場合には、木粉及びパンチ屑の粉砕物の量は、前記紙粉の３〜２０重量％以下、好ましくは３〜１０重量％以下である。
本発明において、プラスチック廃材、紙材料廃材及び吸水性材料廃材は、夫々、その吸水性及び保水性を増すために、５ｍｍ以下、好ましくは３ｍｍの粒度に粉砕されて使用される。
【００２５】
【作用】
本発明において、シーツは、上面を形成する透水性の多孔質層部と、下面を形成するプラスチック製の不透水性膜層部と、前記多孔質層部の下面に接して位置する吸水性の紙層部と、前記吸水性の紙層部の下面に接して位置してプラスチック廃材粉、紙廃材粉及び吸水性樹脂の混合物を含む混合層部を備えており、前記不透水性膜層部は、前記混合層部の下方に位置して配置されているので、人又は動物の排泄した尿の吸収が良く、また保水性が良く、さらに弾力性があり、寝具として良好である。
【００２６】
また、本発明において、シーツは、上面を形成する透水性の多孔質層部と、下面を形成するプラスチック製の不透水性膜層部と、前記多孔質層部の下面に接して位置する吸水性の上部紙層部と、前記不透水性膜層部の上面に接して配置される吸水性の下部紙層部を備える衛生用品において、上部紙層部と下部紙層部の間に、プラスチック廃材粉、紙廃材粉及び吸水性樹脂粉を含む吸水性層部を備えるので、人又は動物の排泄した尿の吸収が良く、また保水性が良く、さらに弾力性があり、寝具として良好である。
【００２７】
ポリエチレンフィルム、ポリプロピレンフィルム及び／又はゴム材料等のプラスチック材料は、燃焼熱が高く、燃焼炉を痛めて問題とされているが、本発明においては、プラスチックフィルムを、紙おむつ廃材、紙ナプキン廃材及びラミネート紙廃材に含有される紙料と混合してシーツとすることにより、プラスチックフィルムを含めた分シーツの燃焼熱を高めることができ、使用後にシーツに付着する尿及び汗等の水分により、燃焼熱が低下しても、プラスチックフィルムの混合により、使用後のシーツの燃焼不良を改善でき、プラスチックフィルム廃材の処理が容易となり、廃材処理費用を低くすることができる。
【００２８】
【実施例】
以下、本発明の実施の態様の例を説明するが、本発明は、以下の説明及び例示によって何等制限されるものではない。
図１は、本発明の一実施例の衛生用品の説明図である。図２は本発明の別の実施例の衛生用品の説明図である。図３は、図１及び図２に示した実施例と異なる本発明の一実施例の衛生用品の説明図である。図４は、本発明の衛生用品を製造する工程を示す概略の工程図である。図１乃至図４において対応する箇所には同一の符号が付されている。
【００２９】
図１において、衛生用品１は、底面部が不透水性膜層部２で形成され、該不透水性膜層部２の上に、下部吸水性紙層部３が形成され、該下部吸水性紙層部３の上に、高吸水性樹脂量の必要量が包含されている廃材粉砕粉により吸水性層部４が形成され、その上に上部吸水性紙層部５が配置されており、その上を覆って、透水性の多孔質層部６が形成されており、前記透水性の多孔質層部６の端部は、最下層の前記不透水性膜層部２の端部ととホットメルト接着等により接着又は接合されて衛生用品１が形成されている。
本例において、上部吸水性紙層部３、吸水性層部４及び下部吸水性紙層部５は、重ねられて、エンボス加工されて、シート状に一体化されている。
【００３０】
例１
本実施例は、図１に示す衛生用品１の構成を、人用の紙おむつに適用した事例である。図１において、６．１重量部のポリエチレンフィルムで不透水性膜層部２が設けられ、該不透水性膜層部２の上に、４．３重量部の吸水紙で下部吸水性紙層部３が設けられ、該下部吸水性紙層部３の上に、５０．６重量部の粒度３ｍｍ以下の紙おむつ粉砕粉３で吸水性層部４が形成され、その上に４．３重量部の吸水紙４で上部吸水性紙層部が設けられ、その上を、４．７重量部のポリプロピレン不織布５で覆って、透水性の多孔質層部６が形成されており、該ポリプロピレン不織布５の端部は、最下層の前記ポリエチレンフィルム２の端部とホットメルト接着剤を介してホットメルト接着されて、人用の紙おむつが形成されている。
本例において、上部吸水性紙層部、吸水性層部及び下部吸水性紙層部は、重ねられて、エンボス加工されて、シート状に一体化されている。本例において、  本例の人用の紙おむつは、使用前の燃焼熱が、６５３１キロカロリー（ｋｃａｌ）／ｋｇであるが、人の一回の排尿量に相当する３００ｍｌの疑似尿で濡れた後のシーツの燃焼熱は７１７ｋｃａｌ／ｋｇであり、燃焼不良にはならない。
【００３１】
例２
本実施例は、図１に示す衛生用品１の構成を、動物用シーツに適用した事例である。図１において、３重量部のポリエチレンフィルムで不透水性膜層部２が設けられ、該不透水性膜層部２の上に、２．１重量部の吸水紙で下部吸水性紙層部３が設けられ、該下部吸水性紙層部３の上に、１７．６重量部の粒度３ｍｍ以下の紙おむつ粉砕粉３で吸水性層部４が形成され、その上に４．７重量部の吸水紙４で上部吸水性紙層部が設けられ、その上を、２．２重量部のポリプロピレン不織布５で覆って、透水性の多孔質層部６が形成され、該ポリプロピレン不織布５の端部は、最下層の前記ポリエチレンフィルム２の端部とホットメルト接着剤を介してホットメルト接着されて、動物用シーツが形成される。
本例においても、例１の場合と同様に、上部吸水性紙層部、吸水性層部及び下部吸水性紙層部は、重ねられて、エンボス加工されて、シート状に一体化されている。
本例の動物用シーツは、使用前の燃焼熱が、６４０８キロカロリー（ｋｃａｌ）／ｋｇであるが、子犬の五回の排尿量に相当する７５ｍｌの疑似尿で濡れた後のシーツの燃焼熱は１３５４ｋｃａｌ／ｋｇであり、燃焼不良にはならない。
【００３２】
例３
本実施例は、図１に示す衛生用品１の構成を、動物用シーツに適用した事例であるが、吸水性層部が上下面に吸水性紙が設けられている高吸水性繊維板で形成されている事例である。図１において、動物用シーツ１は、底部の不透水性膜層部２が３重量部のポリエチレンシートで形成されており、不透水性膜層部２の上に、上下面に吸水性紙層部４を備える不織布タイプの板状の高吸水性繊維（１５０ｇ／ｍ2）の２０．３重量部を配置して、吸水性層部３を形成する。この吸水性層部３の上に、２．２重量部のポリプロピレン不織布５を配置して、透水性の多孔質層部６が形成され、、該ポリプロピレン不織布５の端部は、最下層の前記ポリエチレンフィルム２の端部とホットメルト接着剤を介してホットメルト接着されて、動物用シーツが形成される。
本例における動物用シーツの使用前の燃焼熱は５５６０キロカロリー（ｋｃａｌ）／ｋｇであるが、子犬の五回の排尿量に相当する７５ｍｌの疑似尿で濡れた後のシーツの燃焼熱は９３３ｋｃａｌ／ｋｇであり、燃焼不良にはならない。
【００３３】
例４
本実施例は、図１に示す衛生用品１の構成を、動物用シーツに適用した事例である。図１において、３重量部のポリエチレンフィルムで、底部を形成する不透水性膜層部２が設けられ、該不透水性膜層部２の上に、２．１重量部の吸水紙で下部吸水性紙層部３が設けられ、該下部吸水性紙層部３の上に、１７．６重量部の粒度３ｍｍ以下の紙おむつ粉砕粉３で吸水性層部４が形成され、その上に該不透水性膜層部２の上に、１７．６重量部の粒度３ｍｍ以下の紙おむつ裁断屑の粉砕粉で吸水性層部４が形成され、その上に４．７重量部の吸水紙４で上部吸水性紙層部５が設けられ、その上を、２．８重量部のポリプロピレン不織布で覆って、透水性の多孔質層部６が形成されており、該ポリプロピレン不織布６の端部は、最下層の前記ポリエチレンフィルム２の端部とホットメルト接着剤を介してホットメルト接着されて、動物用シーツが形成されている。
本例の動物用シーツにおいて、使用前の燃焼熱は、６０９４キロカロリー（ｋｃａｌ）／ｋｇであるが、子犬の五回の排尿量に相当する７５ｍｌの疑似尿で濡れた後においても、燃焼熱は１８５２ｋｃａｌであり、本例の動物用シーツは燃焼不良にはならない。
【００３４】
図２において、衛生用品１は、図１に示した衛生用品１と吸水性層部の構造が相違するものである。本例の衛生用品１においては、底面部が不透水性膜層部２で形成され、該不透水性膜層部２の上に、下部吸水性紙層部３が形成され、該下部吸水性紙層部３の上に、高吸水性樹脂量が必要量より少ない廃材粉砕粉７及び高吸水性樹脂の不足する分を補う高吸水性樹脂粉８により吸水性層部４が形成され、その上に、上部吸水性紙層部４が配置され、その上を覆って、透水性の多孔質層部６が形成され、前記透水性の多孔質層部６の端部は、最下層の前記不透水性膜層部２の端部ととホットメルト接着等により接着又は接合されて、衛生用品１が形成されている。
本例において、上部吸水性紙層部３、吸水性層部４及び下部吸水性紙層部５は、重ねられて、エンボス加工されて、シート状に一体化されている。
【００３５】
例５
本実施例は、図２に示す衛生用品１の構成を、人用の紙おむつに適用した事例である。図２において、６．１重量部のポリエチレンフィルムで不透水性膜層部２が設けられ、該不透水性膜層部２の上に、２．１重量部の吸水紙で下部吸水性紙層部３が設けられ、該下部吸水性紙層部３の上に、高吸水性樹脂の含有量が２４重量％の粒度３ｍｍ以下の紙おむつ粉砕粉３の３４．１重量部が載置され、その上に１１．７重量部の高吸水性樹脂粉が供給されて、高吸水性樹脂含有量が３３重量％の吸水性層部４が形成され、該吸水性層部４の上に、９．５重量部の吸水紙４で上部吸水性紙層部が載置され、その上を、４．４重量部のポリプロピレン不織布５で覆って、透水性の多孔質層部６が形成され、該ポリプロピレン不織布５の端部は、最下層の前記ポリエチレンフィルム２の端部とホットメルト接着剤を介してホットメルト接着されて、人用の紙おむつ１が形成されている。
本例においても、前記例１乃至例３の場合と同様に、上部吸水性紙層部、吸水性層部及び下部吸水性紙層部は、重ねられて、エンボス加工されて、シート状に一体化されている。
本例の人用の紙おむつは、使用前の燃焼熱が、５５７７キロカロリー（ｋｃａｌ）／ｋｇであるが、人の一回の排尿量に相当する３００ｍｌの疑似尿で濡れた後のシーツの燃焼熱は５３６ｋｃａｌ／ｋｇであり、燃焼不良にはならない。
【００３６】
例６
本実施例は、図２に示す衛生用品１の構成を、動物用シーツに適用した事例である。図２において、３重量部のポリエチレンフィルムで不透水性膜層部２が設けられ、該不透水性膜層部２の上に、２．１重量部の吸水紙で下部吸水性紙層部３が設けられ、該下部吸水性紙層部３の上に、３ｍｍ以下の粒度に粉砕されたラミネート紙廃材粉砕粉７の１６．９重量部が載置され、その上に３重量部の高吸水性樹脂粉が供給されて、吸水性層部４が形成され、該吸水性層部４の上に、４．７重量部の吸水紙で上部吸水性紙層部４が設けられ、その上を、２．２重量部のポリプロピレン不織布５で覆って、透水性の多孔質層部６が形成され、前記ポリプロピレン不織布５の端部は、最下層のポレエチレンフィルム２の端部とホットメルト接着剤を介してホットメルト接着させて動物用シーツが形成された。
本例においても、前記例１乃至例４の場合と同様に、上部吸水性紙層部、吸水性層部及び下部吸水性紙層部は、重ねられて、エンボス加工されて、シート状に一体化されている。本例において使用されたラミネート紙は、ポリプロピレンフィルムが２０重量パーセント被覆されているものを使用した。本例における動物用シーツの使用前の燃焼熱は５５２０ｋｃａｌ／ｋｇであるが、子犬の五回の排尿量に相当する７５ｍｌの疑似尿で濡れた後のシーツの燃焼熱は２００９ｋｃａｌ／ｋｇであり、燃焼不良にはならない。
【００３７】
例７
本実施例は、例５に示した動物用シーツの事例において、ラミネート紙廃材粉砕粉に代えて、紙おむつ廃材粉砕粉を分級して高吸水性樹脂及び綿状パルプを回収した残りの分級産物、即ち分級前の紙おむつ廃材粉砕粉の高吸水性樹脂含有量より高吸水性樹脂含有量低い分級産物を使用した事例である。
図２において、３重量部のポリエチレンフィルムで不透水性膜層部２が設けられ、該不透水性膜層部２の上に、２．１重量部の吸水紙で下部吸水性紙層部３が設けられ、該下部吸水性紙層部３の上に、３ｍｍ以下の粒度の紙おむつ廃材粉砕粉の高吸水性樹脂含有量の低い分級産物７の１６．９重量部が載置され、その上に３重量部の高吸水性樹脂粉が供給されて、吸水性層部４が形成され、該吸水性層部４の上に、４．７重量部の吸水紙で上部吸水性紙層部４が設けられ、その上を、２．２重量部のポリプロピレン不織布５で覆って、透水性の多孔質層部６が形成され、前記ポリプロピレン不織布５の端部は、最下層のポレエチレンフィルム２の端部とホットメルト接着剤を介してホットメルト接着させて動物用シーツが形成された。
本例においても、前記例１乃至例５の場合と同様に、上部吸水性紙層部、吸水性層部及び下部吸水性紙層部は、重ねられて、エンボス加工されて、シート状に一体化されている。本例における動物用シーツは、子犬の五回の排尿量に相当する７５ｍｌの疑似尿で濡れた後においても、燃焼不良にはならない。
【００３８】
図３において、衛生用品１は、底面部が不透水性膜層部２で形成され、該不透水性膜層部２の上に、高吸水性樹脂量の必要量が包含されている廃材粉砕粉により吸水性層部４が形成され、その上に上部吸水性紙層部５が配置されており、その上を覆って、透水性の多孔質層部６が形成されており、前記透水性の多孔質層部６の端部は、最下層の前記不透水性膜層部２の端部ととホットメルト接着等により接着又は接合されて衛生用品１が形成されている。
【００３９】
例８
本実施例は、図３に示す衛生用品１の構成を、動物用シーツに適用した事例である。図３において、３重量部のポリエチレンフィルムで、底部を形成する不透水性膜層部２が設けられ、該不透水性膜層部２の上に、１７．６重量部の粒度３ｍｍ以下の紙おむつ裁断屑の粉砕粉で吸水性層部４が形成され、その上に４．７重量部の吸水紙４で上部吸水性紙層部５が設けられ、その上を、２．８重量部のポリプロピレン不織布で覆って、透水性の多孔質層部６が形成されており、該ポリプロピレン不織布６の端部は、最下層の前記ポリエチレンフィルム２の端部とホットメルト接着剤を介してホットメルト接着されて、動物用シーツが形成されている。
本例の動物用シーツにおいて、使用前の燃焼熱は、６０９４キロカロリー（ｋｃａｌ）／ｋｇであるが、子犬の五回の排尿量に相当する７５ｍｌの疑似尿で濡れた後においても、燃焼熱は１８５２ｋｃａｌであり、本例の動物用シーツは燃焼不良にはならない。
【００４０】
図４には、本発明の一実施例の衛生用品１の製造工程が示されている。衛生用品１は、ポリエチレンフィルムにより形成された不透水性膜層部２により底部が形成され、該不透水性膜層部２上に吸水紙が配置されて下部吸水性紙層部３が形成され、その上に、紙おむつ廃材粉砕粉７が層状に配置され、その上に高吸水性樹脂８が供給され、高吸水性樹脂８は、紙おむつ廃材粉砕粉７中に分散混入して、紙おむつ廃材粉砕粉と共に、吸水性層部４を形成し、その吸水性層部４の上に、吸水紙が配置されて、上部吸水性紙層部５が形成され、その上を、ポリプロピレン不織布で覆って、透水性の多孔質層部６を形成する。
【００４１】
図３において、下側吸水紙３のロール９は、下側吸水紙送り出しローラ１０により引き出されて、紙おむつ廃材粉砕粉７供給ローラ１１に送られる。紙おむつ廃材粉砕粉供給ローラ１１の上方には、紙おむつ廃材１２の供給部１３に接続する粉砕機１４が設けられており、供給された紙おむつ廃材を粉砕機１４により３ｍｍ以下の粒度に粉砕し、この粉砕された紙おむつ廃材粉砕粉は供給ローラ１１から下側吸水紙３の上に供給される。紙おむつ廃材粉砕粉が供給された下側吸水紙３は、吸水紙３上に紙おむつ廃材粉砕粉の量が一定となるように調整されて、水の噴霧箇所１５に送られて、水噴霧器１６から水が下側吸水紙３上に一定量載置されている紙おむつ廃材粉砕粉上に噴霧される。水が噴霧された紙おむつ廃材粉砕粉を載せた下側吸水紙３は、高吸水性樹脂８の散布箇所１７に送られる。水が噴霧された紙おむつ廃材粉砕粉は、下側吸水紙３と共に、高吸水性樹脂７の散布箇所１４に送られる。該散布箇所１４に送られた紙おむつ廃材粉砕粉は、散布箇所１４で高吸水性樹脂散布機１８から高吸水性樹脂８が散布される。紙おむつ廃材粉砕粉７に散布された高吸水性樹脂８は紙おむつ廃材粉砕粉中に分散混合されて、吸水性層部４を形成する。
【００４２】
紙おむつ廃材粉砕粉７に高吸水性樹脂８が散布されて吸水性層部４が形成された下側吸水紙３は、上側吸水紙５の供給箇所１９に送られて、上側吸水紙５のロール２０から、吸水性層部４の上方に上側吸水紙５が載せられる。吸水性層部４の下側及び上側に吸水紙３及び５が配置された吸水性層部を有する積層物２１は、エンボス機２２に送られてエンボスが形成される。エンボスが形成された吸水性層部有する積層物２１は、マットカッター２３に送られて、長さ４５０ｍｍの吸水性層部を有する積層物２１に切断される。切断された吸水性層部を有する積層物２１の下方には、下方からバックフィルム用のポリエチレンフィルム２がポリエチレンフィルム２のロール２４から供給され、吸水性層部を有する積層物２１はポリエチレンフィルム２の上に載せられて、ポリプロピレン不織布６を被せる箇所２５に送られる。
ポリプロピレン不織布６は、ポリプロピレン不織布６のロール２６から送られ、途中ホットメルト接着剤が噴霧器２７から、ポリプロピレン不織布６の接着箇所に噴霧される。ホットメルト接着剤が噴霧されたポリプロピレン不織布５は、積層物上に載せられる。ポリプロピレン不織布が載せられた吸水性層部の積層物は、サイドシール機２８に送られて、両側部は、圧着されて、ホットメルト接着剤により接着される。両側部が接着された積層物は、エンドシール機２９に送られて長手方向両端部が接着され、製品カッター３０に送られ、所定の寸法に切断され製品として送られる。製品カッター３０で切断された製品は、搬送路３１により折り機によって折られ包装機により包装されて出荷される。
【００４３】
【発明の効果】
本発明において、シーツは、上面を形成する透水性の多孔質層部と、下面を形成するプラスチック製の不透水性膜層部と、前記多孔質層部の下面に接して位置する吸水性の紙層部と、前記吸水性の紙層部の下面に接して位置してプラスチック廃材粉、紙廃材粉及び吸水性樹脂の混合物を含む吸水性層部を備えており、前記不透水性膜層部は、前記吸水性層部の下方に位置して配置されているので、弾力性を有し、人又は動物が、休養時及び就寝時に使用して、肌触りが良く、筋肉痛を防止することができる。
【００４４】
本発明においては、プラスチックフィルムを含む紙おむつ廃材、生理用ナプキン廃材及び尿パッド廃材等の衛生用品廃材並びにラミネート紙廃材等の紙廃材を紙おむつ、動物用シーツ等の衛生用品製造原料とするので廃材の有効利用を図ることができ、またプラスチック材料やゴム質の材料を粉砕して細かい粒子又は粉砕片とするので、プラスチック材料やゴム質の材料に保水性を持たせることができ、綿状パルプが減少しても、適当な弾性等を保つことができ、また、使用後の尿及び汗等の水分により、シーツの燃焼熱が低下しても、その分プラスチックフィルムの混合により、使用後のシーツの燃焼熱を高めることができ、使用後のシーツの燃焼不良を解消することができ、シーツの焼却が容易となり、またプラスチックフィルムの処分も有効且つ容易となり、廃材処理費用を低くすることができる。
【図面の簡単な説明】
【図１】本発明の一実施例の動物用シーツの説明図である。
【図２】発明の別の一実施例の動物用シーツの説明図である。
【図３】図１及び図２に示した実施例と異なる本発明の一実施例の衛生用品の説明図である。
【図４】本発明の衛生用品を製造する工程を示す概略の工程図である。
【符号の説明】
１  衛生用品、人用紙おむつ、動物用シーツ
２  上側吸水紙、上部吸水紙層部
３  高吸水性ポリマーシート
４  吸水性層部
５  下側吸水紙、下部吸水紙層部
６  ポリプロピレン不織布
７  紙おむつ紙廃材粉砕粉
８  高吸水性樹脂
９  下側吸水紙のロール
１０  下側吸水紙３の送り出しローラ
１１  紙おむつ廃材粉７の砕粉供給ローラ
１２  紙おむつ廃材
１３  紙おむつ廃材供給部
１４  粉砕機
１５  水噴霧箇所
１６  水噴霧器
１７  高吸水性樹脂の散布箇所
１８  高吸水性樹脂の散布機
１９  上側吸水紙４の供給箇所
２０  上側吸水紙のロール
２１  積層物
２２  エンボス機
２３  マットカッター
２４  ポリレエチレンフィルム２のロール
２５  ポリプロピレン不織布５を被せる箇所
２６  ポリプロピレン不織布のロール
２７  ホットメルト接着剤噴霧器
２８  サイドシール器
２９  エンドシール機
３０  製品カッター
３１  搬送路
【図１】
0003779940.tif 000002
【図２】
0003779940.tif 000003
【図３】
0003779940.tif 000004
【図４】
0003779940.tif 000005